(57)【要約】【課題】  水底にあるゴルフボールをも確実に捕捉して網の中に回収することができ、網を逆さまにしてもゴルフボールを逃がさない、安価なたも網型のゴルフボール回収具を提供する。【解決手段】  長手の柄１の一端に取付けたリング部３に袋状の網４の開口端を結合してなるたも網型のゴルフボール回収具において、リング部３にゴルフボール捕捉用のネット５を設け、ネット５の横糸５ａと縦糸５ｂとは互いに編組せずにほぼ直交して重ね合わせることにより横糸５ａと縦糸５ｂの一方は他方に阻止されずに摺動可能とし、かつ横糸５ａと縦糸５ｂのそれぞれの隣接する糸同士の間隔ｓをゴルフボールの直径より小さくし、水底や地面にあるゴルフボールにネットを押し付けたときは間隔ｓを広げてゴルフボールを通過させるがゴルフボールの自重では広がらずにゴルフボールを網４の中に保持する。【選択図】      図１
2005137776.tif 000002
【特許請求の範囲】
【請求項１】
長い棒体でなる柄１と、柄１の一端に取付けたリング部３と、リング部３に開口部を結合した袋状の網４とでなるたも網型のゴルフボール回収具において、
リング部３はその平面に展延して設置したゴルフボール捕捉用のネット５を有し、ネット５はそれぞれ剛性を持つとともに互いにほぼ直交する横糸５ａと縦糸５ｂとでなり、横糸５ａと縦糸５ｂは互いに編組することなく重ね合わせ、横糸５ａと縦糸５ｂの一方は他方を阻止せずに摺動可能とし、それぞれにおいて隣接する糸間の間隔ｓをゴルフボールの直径より小さく設定し、かつそれぞれの剛性をネット５が水底または地面に置かれたゴルフボールに押し付けられたときは両糸間の間隔ｓを広げてゴルフボールを通過させるがゴルフボールの自重のみによっては拡がらない値に設定することを特徴とするゴルフボール回収具。
【請求項２】
ネット５の横糸５ａおよび縦糸５ｂのそれぞれの剛性を相対的に相違するものとしたことを特徴とする請求項１のゴルフボール回収具。
【請求項３】
ネット５の外側に位置する横糸５ａの剛性を縦糸５ｂより高くしたことを特徴とする請求項２に記載のゴルフボール回収具。
【請求項４】
ネット５の外側に位置する横糸５ａの剛性を縦糸５ｂより低くしたことを特徴とするゴルフボール回収具。
【発明の詳細な説明】
【技術分野】
【０００１】
この発明はハザード内特に池の中のように手の届かない場所に入ったゴルフボールを回収するための器具に関する。
【背景技術】
【０００２】
従来この種の器具としては長い柄を付けたたも網が使われてきた。このたも網は１個ないし数個程度のゴルフボール回収に適するが、たとえば特許第２６３９６２１号公報、特開平７−１１２０３８号公報、特開平７−８０１００号公報に開示されるゴルフボール収集機や集球装置は車輪を備える手押し型あるいは自走型の機械化されたもので、これらはゴルフ練習場などのほぼ平坦な地面や芝生面から一時に多数のゴルフボールを連続的に収集するに適するとしても、水底にあるゴルフボールの回収には不適である。
【０００３】
たも網は木、竹、金属或いはプラスチック製の長柄の先端にコイルバネによるクッシヨンを介して針金等によるリング部を取付け、リング部に袋状の網の開口端を結合してなる極めて簡単な構成を有し、この構成のたも網の改良或いは改良された他の構成の回収具の提案は特許文献等には発見されない。使用に際しては、柄の先端と網とを水に漬けてリング部を水底のゴルフボールの下部に当て、更にボール下部を通過させてボールを網の上に載せた後掬い上げることによりボールは回収される。
【特許文献１】特許第２６３９６２１号公報
【特許文献２】特開平７−１１２０３８号公報
【特許文献３】特開平７−８０１００号公報
【発明の開示】
【発明が解決しようとする課題】
【０００４】
従来のたも網による水底のゴルフボール回収はしかし毎回確実にボールを捕らえうるとは限らず、水中で軽くなっているボールをたも網の縁で押したとき網に載らず、反対側に逃げ易いので、操作は簡単でありながら慣れと熟練を必要とするが、ゴルフのプレー中であれば回収に余分な時間をかけることは許されず、回収のみを目的とする作業の場合であれば能率が問われることになる。
【０００５】
したがってこの発明は水底にあるゴルフボールをも確実に捕捉して網の中に回収することができ、網を逆さまにしてもゴルフボールを逃がさない，安価で確実なたも網型のゴルフボール回収具を提供することを目的とする。
【課題を解決するための手段】
【０００６】
この発明は上記の課題を解決するために提案されたもので、長い棒体でなる柄１と、柄１の一端に取付けたリング部３と、リング部３に開口端を結合した袋状の網４とでなるたも網型のゴルフボール回収具において、リング部３はその平面に展延して設置したゴルフボール捕捉用のネット５を有し、ネット５はそれぞれ剛性を持つと共に互いにほぼ直交する横糸５ａと縦糸５ｂとでなり、横糸５ａと縦糸５ｂは互いに編組することなく重ね合わせ、横糸５ａと縦糸５ｂの一方は他方を阻止せずに摺動可能とし、それぞれにおいて隣接する糸間の間隔ｓをゴルフボールの直径より小さく設定し、かつそれぞれの剛性をネット５が水底または地面に置かれたゴルフボールに押し付けられたときは両糸間の間隔ｓを広げてゴルフボールを通過させるがゴルフボールの自重のみによっては広がらない値に設定することを特徴とする。
【０００７】
この発明はまたネット５の外側に位置する横糸５ａと内側に位置する縦糸５ｂの剛性を相対的に相違させる、すなわち、外側の糸の剛性を内側より低くするか、または高くすることを特徴とする。
【発明の効果】
【０００８】
この発明に係るゴルフボール回収具は、柄１の一端に取付けて袋状の網４の開口端を保持するリング部３にゴルフボール捕捉用のネット５を設置し、ネット５を構成する横糸５ａと縦糸５ｂはそれぞれ剛性を有してほぼ直交し、かつ編組することなく重ね合わせ、隣接する糸間の間隔をゴルフボールの直径より小さくし、それぞれの剛性をネット５がゴルフボールに押し付けられたときは両糸間の間隔を広げてゴルフボールを通過させるがゴルフボールの自重では広がらない値にされるので、従来の安価なたも網を利用でき、使用に当たっては、ゴルフボールに押し付けられたネット５の横糸５ａと縦糸５ｂのそれぞれの隣接一対の糸同士が押し広げられ、ゴルフボールを通過させた後元の間隔に戻るため、格別の熟練を要することなく確実にゴルフボールを捕捉して網４の中に回収することを可能とする。
【０００９】
この発明に係るゴルフボール回収具はまた、ネット５の外側に位置する横糸５ａと内側に位置する縦糸５ｂの剛性を相対的に相違させる、つまり、外側の糸の剛性を内側の糸より低くすることによって回収すべきゴルフボールの取入れを容易にする、あるいは外側の糸の剛性を内側の糸より高くすることによって回収したゴルフボールの取り出しをを容易にすることができる。
【発明を実施するための最良の形態】
【００１０】
この発明を実施するための実施例を図１、図２と図３を参照して説明する。
【実施例】
【００１１】
図１においてこの発明に係るゴルフボール回収具は、木製、竹製、金属製またはプラスチック製の長手の柄１と、この柄１の一端に望ましくはコイルバネでなるクッション２を介して取り付けたリング部３と、布等で袋状に形成して開口縁を環状にクッション２に結合した網４とによって形成されるたも網によって基本的に構成されるとともに、更にリング部３がその区画する平面に展延するように張り掛け固定したネット５を備える。図２と図３に拡大して示すように、ネット５は剛性を有する天然素材、合成素材或いは金属素材の糸またはワイヤ（以下単に糸と記載する）によるそれぞれ平行する横糸５ａと縦糸５ｂとでなり、これら横糸５ａと縦糸５ｂとは互いに編組することなくほぼ直交して重ね合わせ、横糸５ａと縦糸５ｂの一方は他方を阻止することなく摺動し、それぞれにおいて隣接する各一対の横糸同士または縦糸同士の間隔ｓはゴルフボールの直径（ラージボールで４２．６７ｍｍ、スモールボールで４１．１５ｍｍ）よりやや小さい（１−２ｍｍ程度）値とする。
【００１２】
この隣接糸間の間隔ｓと糸の剛性とは、水底或いは地面に在るゴルフボールに対してネット５を押し付けた時、ゴルフボールに先ず当接した横糸５ａの隣接一対の糸は縦糸５ｂと編組されていないため押し広げられ、次いで当接する縦糸５ｂの隣接一対の糸も押し広げられてネット５はゴルフボールを通過させるに対し、ゴルフボールの自重（４５．９３ｇｒ．以下）のみによっては各糸は撓まず、間隔ｓを広げないのでボールは通過できないように設定される。したがって一旦ネット５を通過して網４内に入ったゴルフボールは人為的に力を加えない限り網４内に保留される。ここでは横糸５ａと縦糸５ｂの剛性は実質的に等しいものとする。
【００１３】
横糸５ａと縦糸５ｂの剛性は相対的に相違させても良い。すなわち、ネット５をゴルフボールに押し付けたとき、ネット５の外側に位置する糸、図示の場合では横糸５ａが初めにゴルフボールに接するが、外側の横糸５ａは内側の縦糸５ｂに比して剛性を低くして可撓性を高め、それによって初めにボールに接した横糸５ａの隣接一対の糸間間隔ｓが広がり易くなる。したがってネット５は回収すべきゴルフボールの取り入れが比較的に容易となる。相対的に剛性を高くして可撓性を低めた内側の縦糸５ｂも、たも網を水底ないし地面に向けてゴルフボールに押し付けることによる外側の横糸５ａの広がりと共に押し込まれてくるゴルフボールによって容易に押し広げられ、その結果としてネット５はゴルフボールを通過させ、網４の中に取り入れる。網４の中のゴルフボールは自重をもってネット５に内側から接し、ほぼ直交する横糸５ａと縦糸５ｂの作るほぼ正方形の網目に入るが、ゴルフボールの径より小さい間隔ｓで隣り合う一対の縦糸５ｂ同士は比較的に高い剛性をもってゴルフボールを保持し、その自重のみでは網目は広がらないから、回収作業員が手で引き抜く、或いは押し出すことによってはじめてゴルフボールは網４内から回収される。
【００１４】
逆に外側の横糸５ａに比して内側の縦糸５ｂの剛性を低くして可撓性を高めれば、すでに回収されて網４内にあるゴルフボールを人為的にネット５を通過させて取り出す場合にゴルフボール比較的容易に網目内に取り入れ易くなる。
【００１５】
上記の実施例ではネット５をそれぞれ平行する横糸と縦糸の２組を直交するものとしたが、３組の平行糸群を順に６０度の関係で交差させ、３段に重ね合わせて６角形の網目とすることもできる。
【図面の簡単な説明】
【００１６】
【図１】この発明に係るたも網型のゴルフボール回収具の全体を示す斜視図。
【図２】図１のゴルフボール回収具に用いるネットの一例の一部拡大平面図。
【図３】図２のネットの一部拡大断面図。
【符号の説明】
【００１７】
１    柄
２    クッション
３    リング部
４    網
５    ネット
５ａ  横糸
５ｂ  縦糸
ｓ    糸間間隔
【図１】
2005137776.tif 000003
【図２】
2005137776.tif 000004
【図３】
2005137776.tif 000005